(57)【要約】【課題】指先における挟持力の弱い人でも、筆記具、修正テープ等の修正具、ドライバー等の工具、フォークやスプーン等の物体を把持できるように、かつ把持した際の指への疲労を軽減する、例えば、筆記具や糊、修正具等の容器に着脱自在に挿嵌できるグリップ用補助具を得ることを目的とする。【解決手段】一方の端部を平面とし他方の端部を球状とした、両端部に向かうにしたがって漸次先窄み状の略卵形形状に形成する。前記一方の端部に物体あるいは物体の柄に着脱自在に挿嵌可能な開口部を設け、該開口部に連通した空洞部を内部に設ける。周側面における最大外径を３０mm〜５０mmとし、軸心に沿った方向の全長を５０mm〜７０mmでする。【選択図】図５
2007098516.tif 000002
【特許請求の範囲】
【請求項１】
物体の把持部に着脱自在に挿嵌して保持される開口部と空洞部を有したグリップ用補助具であって、形状が、軸心に沿った方向の一方の端部に前記開口部を有した、両端部に向かうにしたがって漸次先窄み状の卵形形状で、周側面における最大外径が３０mm〜５０mmで全長が５０mm〜７０mmであることを特徴とするグリップ用補助具。
【請求項２】
前記グリップ用補助具に、開口部とは異なる前記空洞部と外部を連通する貫通孔を設けてなる、請求項１に記載のグリップ用補助具。
【請求項３】
前記グリップ用補助具に、物体の把持部に形成された突起部が前記空洞部から外方に突出可能な、空洞部に連通する突起部用孔を設けてなる、請求項１又は２に記載のグリップ用補助具。
【請求項４】
前記グリップ用補助具を、ゴム状弾性体あるいはゲル状物質あるいは多孔質体で形成した、請求項１ないし３のいすれか１項に記載のグリップ用補助具。
【請求項５】
前記グリップ用補助具を、シリコーンゴムで形成した、請求項１ないし３のいすれか１項に記載のグリップ用補助具。
【発明の詳細な説明】
【技術分野】
【０００１】
本発明は、筆記具、糊、修正テープ、鋏みやドライバー等の把持部に着脱自在に挿嵌し、前記物体を把持して操作し易いようにするためのグリップ用補助具に関する。
【背景技術】
【０００２】
従来、筆記部にフェルトにインキを含有した筆記具において、幼児用として把持し易いように、かつキャップを筆記部から取外しし易いようにと、後部を球状とし、筆記部側に近くなる程、先窄み状とした軸筒形状の「幼児用筆記具」が、実開平３−８４１８８号公報に開示されており、こうした形状のものが把持し易いことは知られている。ただ、前記開示された技術は、筆記具の軸筒としての形状に関するものであり、糊、修正テープ、鋏みやドライバー等の物体の把持部に挿嵌して、前記物体を握り易くして操作し易いようにするというためのものではない。
【０００３】
物体の把持部に挿嵌して、前記物体を握り易くして操作し易いようにするものとして、特開２００５−１１１９５９号公報に、支持具本体が中間部に上部よりも幅が狭まったネック部を有した、挿入孔と反対側の後端に向かうにしたがって外径が漸次大径となる円筒形状の、あるいはネック部の後端側が球形状の「手障害者用補助具」が開示されている。この技術は、親指と他の指や隣接する指間で挟みこむことで、力をかけることなく利用できるというものであり、力をかけることがないと言えども、指と他の指や隣接する指間で挟みこむので、指に力を入れる必要があるし、指に小物の操作及び把持の二つの役割を担わせる事になり、疲労の原因にもなる。
【０００４】
多くの物体は指で把持する事を前提に設計されているのが実態であるが、指はその機能に比べ一本一本の力は弱く、繰り返しの耐久性に劣るところがあり、それにも関わらず指で把持する物体を操作することは指に対し、物体の操作及び把持の二つの役割を担わせる事になり、疲労の原因にもなっている。本発明者はこうした事実に鑑み、指への疲労を軽減するために、掌に当接し得る曲面を有する形状と、各手指および掌に包み込んで握るように使用するグリップ用補助具を提供することを思いたった。
【０００５】
登録実用新案登録第３０５８７７６号公報により、掌に当接し得る曲面をなす後端部を有し、各手指および掌にて包み込んで握る如く形成された把持部と、該把持部の先端部に所定角度を以て延出されたペン先と、を備えてなることを特徴とする筆記具の考案が記載されているが、前記開示された技術は、筆記具の軸筒に関するものであり、物体の把持部に挿嵌して、前記物体を握り易くして操作し易いようにするというためのものではない。また、前記考案における把持部形状は、筆記具であるために指で挟持して、筆記具の移動方向が操作し易いような形状となっており、各手指および掌にて把持部全体を包み込んで握る形状とは言いにくく、指に挟持して握る形状となっている。
【特許文献１】実開平３−８４１８８号公報
【特許文献２】特開２００５−１１１９５９号公報
【特許文献３】登録実用新案登録第３０５８７７６号公報
【発明の開示】
【発明が解決しようとする課題】
【０００６】
本発明は、指先における挟持力の弱い人でも、筆記具、修正テープ等の修正具、ドライバー等の工具、フォークやスプーン等の物体を指と掌で把持して使用できるように、かつ指への疲労を軽減する、物体に着脱自在に挿嵌して使用するためのグリップ用補助具を得ることを目的とする。
【課題を解決するための手段】
【０００７】
本発明は、
「１．物体の把持部に着脱自在に挿嵌して保持される開口部と空洞部を有したグリップ用補助具であって、形状が、軸心に沿った方向の一方の端部に前記開口部を有した、両端部に向かうにしたがって漸次先窄み状の卵形形状で、周側面における最大外径が３０mm〜５０mmで全長が５０mm〜７０mmであることを特徴とするグリップ用補助具。
２．前記グリップ用補助具に、開口部とは異なる前記空洞部と外部を連通する貫通孔を設けてなる、前記１項に記載のグリップ用補助具。
３．前記グリップ用補助具に、物体の把持部に形成された突起部が前記空洞部から外方に突出可能な、空洞部に連通する突起部用孔を設けてなる、前記１項又は２項に記載のグリップ用補助具。
４．前記グリップ用補助具を、ゴム状弾性体あるいはゲル状物質あるいは多孔質体で形成した、前記１項ないし３項のいすれか１項に記載のグリップ用補助具。
５．前記グリップ用補助具を、シリコーンゴムで形成した、前記１項ないし３項のいすれか１項に記載のグリップ用補助具。」
である。
【０００８】
本発明のグリップ用補助具は略卵形形状に形成するが、その理由は、こうした形状のものは指を若干湾曲させて握るので、指の関節を利用して握ることになり、指先の僅かな力で握ることができるからである。グリップ用補助具の形状を単なる球形状にしても同様の事が言えるが、単なる球形状だと、物体を操作している際に掌内でグリップ用補助具が移動し易く、移動しないように手指に余計な力を必要とするので、好適であるとは言えない。
【０００９】
グリップ用補助具における開口部は、物体の把持部に挿嵌できれば良く、その形状については円形状、四角形状、多角形状等何でも良く特定されるものではない。単なる切り込みが施されたものであっても良い。
【００１０】
本発明のグリップ用補助具は、開口部と空洞部の形状と大きさを適宜に形成することにより、筆記具の軸筒等の特定された物体に挿嵌するものではなく、様々な物体の把持部に着脱自在に挿嵌して使用するものである。周側面における最大外径を３０mm〜５０mmと特定したのは、本発明のグリップ用補助具の使用者を老若男女に関係なく、また小学生の低学年であっても、本発明のグリップ用補助具を指と掌で把持できるようにするためである。
【００１１】
ところで、年齢別、男女別の身体部位測定データ（社団法人  人間生活工学研究センターで、１９９２年から１９９４年にかけて日本全国を巡回して、７歳から９０歳代３万４千人の体格を計測したデータ）におけるにぎり内径（プラスチックシートを筒状に巻いて、親指と中指で作った輪にくぐらせたときの、プラスチックシートの直径で、図１３に示す手のＬの部分の距離）に関するデータに基づけば、ほぼ７歳〜９９歳までの年代では掌を丸めて何かを握る際の内径寸法が７歳で約３０mmであり、ほぼ１４歳で４０mmに達し、その後は９９歳まで４０mm程度で推移することが判っており、前記周側面における最大外径は、適宜に設定したものではなく前記データにより裏付けされた値である。
【００１２】
また、グリップ用補助具の全長を５０mm〜７０mmと特定しているが、これは各手指および掌にて全体を包み込んで握れるようにするためである。こうすることで指先で略卵形形状の縁部に指がかかり、指先の僅かな力でグリップ用補助具を操作できるからである。全長が長すぎると、グリップ用補助具を各手指および掌で握ることになるが、指が伸びた状態でグリップ用補助具を挟持することになり、指に力を入れなければならない。また短すぎても、グリップ用補助具全体を各手指および掌で包み込むように握れないために、指で挟持することになるので指に力を入れることが必要となり、指に小物の操作及び把持の二つの役割を担わせる事になり、疲労の原因となる。したがって、全長は５０mm〜７０mmが好適である。
【００１３】
前記した年齢別、男女別の身体部位測定データによれば、指尖(しせん)・指節点距離（手背面で、指尖点と指節点の間の直線距離で、図１４に示す手のＮの部分の距離）は、男女ともに７歳で約７４．１mmであり、年齢の増加とともに徐々に長くなっていくことが判る。こうしたデータからも、全長が７０mm以下であれば子供でも大人でもグリップ用補助具全体を各手指および掌で包み込むように握れることが判る。
【発明の効果】
【００１４】
本発明のグリップ用補助具は、前記したような寸法範囲の略卵形形状なので、各手指および掌にて全体を包み込んで握れるので物体の把持部に挿嵌すれば、指先における挟持力の弱い人でも物体を使用可能となる。また、指で物体を挟持するための強度の力を必要としないので、特定の部位が痛くなったりせず、指への疲労感や、手から肩にかけての疲労感を軽減することができる。また、必要に応じて各種の物体に着脱自在に挿嵌できるので、経済的である。
【００１５】
請求項２に係る発明の効果は、グリップ用補助具に、開口部とは異なる前記空洞部と外部を連通する貫通孔を設けることにより、物体の把持部に挿嵌する際のグリップ用補助具内の空気交代のための孔となり、物体にスムーズに着脱可能となる。
【００１６】
請求項３に係る発明の効果は、グリップ用補助具に、物体の把持部に形成された突起部が前記空洞部から外方に突出可能な、空洞部に連通する突起部用孔を設けたことで、物体のグリップ用補助具を挿嵌する部分に突起があっても、該突起をグリップ用補助具の外方に突出させることができるので、グリップ用補助具を挿嵌することが可能となる。
【００１７】
請求項４に係る発明の効果は、グリップ用補助具をゴム状弾性体あるいはゲル状物質あるいは多孔質体で形成すると、グリップ用補助具の形状とあいまってフィット感が得られ、さらに握りやすく疲れ難いという利点がある。
【００１８】
請求項５に係る発明の効果は、グリップ用補助具をシリコーンゴムで形成すると、汚れ難いという利点がある。
【発明を実施するための最良の形態】
【００１９】
グリップ用補助具を、シリコーンゴム等の弾力性を有する材質で略卵形形状に形成し、一方の端部に断面が円形状又は四角形状の開口部を形成し、該開口部に連通した開口部の形状より大形状の空洞部を内部に形成する。
【実施例】
【００２０】
本発明のグリップ用補助具の実施例について、以下、図面を用いて説明するが、本発明はこれに限定されるものではない。尚、同じ部材、同じ箇所を示すものには同じ符号を付してある。
【００２１】
図１及び図２に示す第１の実施例のグリップ用補助具１は、シリコーンゴムで、周側面２における最大外径を４２mmとし、軸心に沿った方向の一方の端部３を平面とし、他方の端部４を球状とした、両端部に向かうにしたがって漸次先窄み状の略卵形形状に形成してある。両端部３、４の全長は５６mmに形成してある。前記一方の端部３には、断面形状が円形状の開口部５を形成してあり、内部は前記開口部５より大形状の空洞部６が開口部５に連通させて形成してある。
【００２２】
図３及び図４に示す第２の実施例のグリップ用補助具２１は、前記第１の実施例のグリップ用補助具１と同様にシリコーンゴムで、同寸法の略卵形形状に形成してある。一方の端部３には、断面形状が四角形状の開口部２２を形成してあり、内部は前記開口部２２と断面形状が同形状の四角柱状の空洞部２３が開口部２２に連通させて形成してある。
【００２３】
図５は、第２の実施例のグリップ用補助具２１の使用状態を示すもので、ステープラーＡの後端部に着脱自在に挿嵌したものである。
【００２４】
図６及び図７に示す第３の実施例のグリップ用補助具３１は、前記第１の実施例のグリップ用補助具１と同様にシリコーンゴムで、同寸法の略卵形形状に形成してある。一方の端部３には、断面形状が一方の幅が小幅な四角形状の開口部３２を形成してあり、内部は前記開口部５と断面形状が同形状の四角柱状の空洞部３３が開口部３２に連通させて形成してある。
【００２５】
図８は、第３の実施例のグリップ用補助具３１の使用状態を示すもので、カッターＢの把持部Ｂ−１の後端部に着脱自在に挿嵌したものである。
【００２６】
図９及び図１０に示す第４の実施例のグリップ用補助具４１は、前記第１の実施例のグリップ用補助具１と同様にシリコーンゴムで、同寸法の略卵形形状に形成してある。一方の端部３及び内部には、第１の実施例のグリップ用補助具１と同様の開口部５と空洞部６が形成してある。球状の他方の端部４には、前記空洞部６と外部を連通する貫通孔７を設けてある。
【００２７】
図１１は、第４の実施例のグリップ用補助具４１の使用状態を示すもので、筆記具のマーカーＣの軸筒Ｃ−１の後端部に着脱自在に挿嵌したものである。符号Ｄは、キャップである
【００２８】
図１２に示す第５の実施例のグリップ用補助具５１は、周側面２に、空洞部６と外部を連通する突起部用孔８を周側面２に設けた以外は、前記第１の実施例のグリップ用補助具１と同様に形成してある。図１２は、本グリップ用補助具５１の使用状態の例として、鋏みＤの把持部Ｄ−１ａ、Ｄ−１ｂに突起部Ｄ−２を有した一方の把持部Ｄ−１ａに本グリップ用補助具５１を挿嵌した状態を示し、一方の把持部Ｄ−１ａの突起部Ｄ−２は前記突起部部用孔８を通って外方に突出させてある。
【産業上の利用可能性】
【００２９】
本発明のグリップ用補助具は、開口部と空洞部の形状と大きさを適宜に形成することにより、筆記具における把持部のグリップのみならず、修正テープ等の修正具、ドライバー等の工具、フォークやスプーン等の様々な物体あるいは物体の柄に着脱自在に挿嵌して使用することが可能で、指や掌で握る各種の物体のグリップ補助具として利用可能である。
【図面の簡単な説明】
【００３０】
【図１】第１の実施例のグリップ用補助具の側面を示す側面図である。
【図２】第１の実施例のグリップ用補助具の開口部側の正面を示す正面図である。
【図３】第２の実施例のグリップ用補助具の側面を示す側面図である。
【図４】第２の実施例のグリップ用補助具の開口部側の正面を示す正面図である。
【図５】第２の実施例のグリップ用補助具の使用状態を示し、ステープラーの後端部に挿嵌した状態を示した図である。
【図６】第３の実施例のグリップ用補助具の側面を示す側面図である。
【図７】第３の実施例のグリップ用補助具の開口部側の正面を示す正面図である。
【図８】第３の実施例のグリップ用補助具の使用状態を示し、カッターの後端部に挿嵌した状態を示した図である。
【図９】第４の実施例のグリップ用補助具の側面を示す側面図である。
【図１０】第４の実施例のグリップ用補助具の開口部側の正面を示す正面図である。
【図１１】第４の実施例のグリップ用補助具の使用状態を示し、筆記具のマーカーの軸筒の後端部に挿嵌した状態を示した図である。
【図１２】第５の実施例のグリップ用補助具を示すとともに、その使用状態として鋏みの一方の把持部に挿嵌した状態を示した図である。
【図１３】にぎり内径を示す図である。
【図１４】指尖・指節点距離を示す図である。
【符号の説明】
【００３１】
１、２１、３１、４１  グリップ用補助具
２  周側面
３  一方の端部
５、２２、３２  開口部
６  空洞部
７  貫通孔
８  突起部用孔
【図１】
2007098516.tif 000003
【図２】
2007098516.tif 000004
【図３】
2007098516.tif 000005
【図４】
2007098516.tif 000006
【図５】
2007098516.tif 000007
【図６】
2007098516.tif 000008
【図７】
2007098516.tif 000009
【図８】
2007098516.tif 000010
【図９】
2007098516.tif 000011
【図１０】
2007098516.tif 000012
【図１１】
2007098516.tif 000013
【図１２】
2007098516.tif 000014
【図１３】
2007098516.tif 000015
【図１４】
2007098516.tif 000016